(57)【要約】【課題】  遮水材層が常に必要な所定の水分を含有し、高い遮水性能を維持することができる遮水壁構造の提供。【解決手段】  土中に設置された土留め壁内に形成された空隙１６に変形追随性を有する遮水材を充填することにより形成された遮水材層１７を備えてなる遮水壁構造において、遮水材層１７内の水分を維持させるための層状をした遮水材層内水分維持手段により、遮水材層１７の上端面を閉鎖する、即ち、内部が遮水材層１７の上端面に接する貯水部２１を備え、該貯水部２１内に乾燥防止用水２２を備えた。【選択図】  図１
2005193199.tif 000002
【特許請求の範囲】
【請求項１】
土中に設置された土留め壁内に形成された空隙に変形追随性を有する遮水材を充填することにより形成された遮水材層を備えてなる遮水壁構造において、
前記遮水材層内の水分を維持させるための層状をした遮水材層内水分維持手段により、前記遮水材層の上端面を閉鎖したことを特徴としてなる遮水壁構造。
【請求項２】
土留め壁は、側壁用部材を水平方向に連結して構成した一対の側壁体と、両側壁体間を連結する壁体間連結材とを備え、前記両側壁体及び壁体間連結材により囲まれた前記土留め壁内の空隙に遮水材を充填する請求項１に記載の遮水壁構造。
【請求項３】
土留め壁は、側壁用部材を水平方向に連結して構成した側壁体と、隣り合う前記側壁用部材の連結部を跨いで該両側壁用部材間に架け渡したシート状又は板状のカバー部材とを備え、前記側壁体及びカバー部材に囲まれた前記土留め壁内の空隙に遮水材を充填する請求項１に記載の遮水壁構造。
【請求項４】
側壁体は、シート状材を一部又は全部に使用した請求項１、２又は３に記載の遮水壁構造。
【請求項５】
遮水材層内水分維持手段は、内部が前記遮水材層の上端面と接した貯水部を備え、該貯水部内に乾燥防止用水を備える請求項１〜３又は４に記載の遮水壁構造。
【請求項６】
貯水部は、側壁用部材を水平方向に連結して構成した一対の側壁体の上端部を外壁とする請求項５に記載の遮水壁構造。
【請求項７】
遮水壁の上端を覆うコーピングに貯水部内と連通する貫通孔を備えた請求項５又は６に記載の遮水壁構造。
【請求項８】
貫通孔は、ポーラスコンクリートをもって閉鎖した請求項７に記載の遮水壁構造。
【請求項９】
外洋側の側壁体に接続され、外洋から乾燥防止用水を貯水部内に逆流不能に導入する通水管を備えた請求項５〜７又は８に記載の遮水壁構造。
【請求項１０】
壁体間連結材により隔離された各貯水部に亘って通された給水管を備えた請求項５〜８又は９に記載の遮水壁構造。
【請求項１１】
壁体間連結材は、該壁体間連結材により隔離された各貯水部内を連通させる連通孔を備えた請求項５〜８又は９に記載の遮水壁構造。
【請求項１２】
壁体間連結材は、その上端を側壁体の上端より低く形成した請求項５〜８又は９に記載の遮水壁構造。
【請求項１３】
ポリマー系材料、油性材料又はアスファルト系材料等からなり、乾燥防止用水の水面上を覆う蒸発防止層を備えた請求項５〜１１又は１２に記載の遮水壁構造。
【請求項１４】
遮水材層内水分維持手段は、ポリマー系材料、油性材料又はアスファルト系材料等からなり、前記遮水材層の上端面を覆う蒸発防止層からなる請求項１〜３又は４に記載の遮水壁構造。
【発明の詳細な説明】
【技術分野】
【０００１】
本発明は、主に管理型廃棄物最終処分場の周囲の地中や護岸構造物の内側面に設置し、内外の水の流出入を遮断させるために用いられる遮水壁構造に関する。
【背景技術】
【０００２】
一般に廃棄物最終処分場には、有害物質が漏れ出る事がない安定型廃棄物を埋立処分する安定型廃棄物最終処分場、有害物質を含む有害型廃棄物を完全に遮断した状態で埋立処分する遮断型廃棄物最終処分場、及び、前記安定型又は有害型以外の廃棄物である管理型廃棄物を埋立処分する管理型廃棄物最終処分場がある。
【０００３】
従来、上述した管理型廃棄物最終処分場の建設に際し、護岸構造物で囲むか或いは地中を掘削することにより廃棄物投入空間を形成し、その空間内に廃棄物を投入して埋立てるようにしている。
【０００４】
この廃棄物投入空間を形成するための遮水護岸は、内外への水の流出入を極めて小さくする必要があるため、Ｈ型鋼矢板等からなる土留め壁の内部に形成された空隙に遮水材を充填して構成された遮水壁構造を有する遮水壁を使用し、高い遮水性能が得られるように構成されている（特許文献１を参照）。
【０００５】
この遮水護岸１は、図１１に示すように、海岸等の水底面に支持されて所望空間の周囲を囲む配置に構築し、これによって仕切られた内側を廃棄物投入空間とし、該空間に管理型廃棄物Ａを投入して埋立処分するものである。
【０００６】
遮水護岸１は、外側（外洋側）に鋼管矢板を使用した矢板式土留め壁２があり、内側（埋立空間側）に、Ｈ型鋼矢板を使用した遮水壁３を有し、外側矢板式土留め壁２と内側の遮水壁３との間には中詰砂４が充填され、両壁２，３の上端間にはタイ材５が張設されている。尚、図中符号４ａはモニタリング井戸である。
【０００７】
内側の遮水壁３は、図１２に示すように、土中に設置された遮水壁３を構成する土留め壁内に形成された空隙１６に変形追随性を有する遮水材を充填して形成された遮水材層１７を備えることにより構成され、高い遮水効果が得られるようになっている。
【０００８】
土留め壁は、板状のウエブ６の両縁に板状のフランジ７，７を一体化させた形状の断面Ｈ型のＨ型鋼矢板８，８…を横方向に連続させて水底地盤９地下の不透水層１０まで打ち込んで形成されている。
【０００９】
各Ｈ型鋼矢板８は、各フランジ７，７の縁部に断面Ｃ型の雌継手部１１と、これに嵌りあって抜け止めされるように、先端に膨出部を有する雄継手部１２とを一体に有する継手１３が一体に備えられ、互いに隣り合うＨ型鋼矢板８，８間において、継手１３同士が互いに噛み合わされて横方向に連続されている。
【００１０】
また、この継手１３内には、図示していないが、膨張性止水材を付着させておき、これが打ち込み後に吸水して膨張することにより止水されるようになっている。
【００１１】
このようにしてＨ型鋼矢板８，８…を水平方向に連続させて打設することにより、両フランジ７，７によって、互いに平行配置の一対の側壁体１４，１５を構成しているとともに、ウエブ６が両側壁体１４，１５間を連結する壁体間連結材となっている。
【００１２】
即ち、隣り合うＨ型鋼矢板８，８間において各ウエブ６，６と各フランジ７，７によって囲まれる略方形状をした内部空隙１６内、即ち、両フランジ７，７による側壁体１４，１５及びウエブ６による壁体間連結材により囲まれて形成された土留め壁内の空隙１６に変形追随性を有する遮水材を充填して遮水材層１７を形成することにより、遮水壁３が構成されている。
【特許文献１】特開２００３−１１３６０８号公報
【発明の開示】
【発明が解決しようとする課題】
【００１３】
しかし、上述の如き従来の技術では、遮水材層の表面部が気中に曝された状態にある為、両土留め壁内の空隙に充填される遮水材が所定の水分を含有することにより変形追随性を発揮するようなものの場合、遮水材層内が水分の蒸発等によって乾燥すると、変形追随性を失するとともに、クラック等によって水みちが発生し、遮水性能が低下する可能性があるという問題があった。
【００１４】
そこで本発明は、上述の従来技術の問題を鑑み、遮水材層が常に必要な所定の水分を含有し、高い遮水性能を維持することができる遮水壁構造の提供を目的とする。
【課題を解決するための手段】
【００１５】
上述の如き従来の問題を解決し、所期の目的を達成するための請求項１に記載の発明は、土中に設置された土留め壁内に形成された空隙に変形追随性を有する遮水材を充填することにより形成された遮水材層を備えてなる遮水壁構造において、前記遮水材層内の水分を維持させるための層状をした遮水材層内水分維持手段により、前記遮水材層の上端面を閉鎖した遮水壁構造であることを特徴とする。
【００１６】
請求項２に記載の発明は、請求項１の構成に加え、土留め壁は、側壁用部材を水平方向に連結して構成した一対の側壁体と、両側壁体間を連結する壁体間連結材とを備え、前記両側壁体及び壁体間連結材により囲まれた前記土留め壁内の空隙に遮水材を充填することを特徴とする。
【００１７】
請求項３に記載の発明は、請求項１の構成に加え、土留め壁は、側壁用部材を水平方向に連結して構成した側壁体と、隣り合う前記側壁用部材の連結部を跨いで該両側壁用部材間に架け渡したシート状又は板状のカバー部材とを備え、前記側壁体及びカバー部材に囲まれた前記土留め壁内の空隙に遮水材を充填することを特徴とする。
【００１８】
請求項４に記載の発明は、請求項１、２又は３の構成に加え、側壁体は、シート状材を一部又は全部に使用したことを特徴とする。
【００１９】
請求項５に記載の発明は、請求項１〜３又は４の構成に加え、遮水材層内水分維持手段は、内部が前記遮水材層の上端面と接した貯水部を備え、該貯水部内に乾燥防止用水を備えることを特徴とする。
【００２０】
請求項６に記載の発明は、請求項５の構成に加え、貯水部は、側壁用部材を水平方向に連結して構成した一対の側壁体の上端部を外壁とすることを特徴とする。
【００２１】
請求項７に記載の発明は、請求項５又は６の構成に加え、遮水壁の上端を覆うコーピングに貯水部内と連通する貫通孔を備えたことを特徴とする。
【００２２】
請求項８に記載の発明は、請求項７の構成に加え、貫通孔は、ポーラスコンクリートをもって閉鎖したことを特徴とする。
【００２３】
請求項９に記載の発明は、請求項５〜７又は８の構成に加え、外洋側の側壁体に接続され、外洋から乾燥防止用水を貯水部内に逆流不能に導入する通水管を備えたことを特徴とする。
【００２４】
請求項１０に記載の発明は、請求項５〜８又は９の構成に加え、壁体間連結材により隔離された各貯水部に亘って通された給水管を備えたことを特徴とする。
【００２５】
請求項１１に記載の発明は、請求項５〜８又は９の構成に加え、壁体間連結材は、該壁体間連結材により隔離された各貯水部内を連通させる連通孔を備えたことを特徴とする。
【００２６】
請求項１２に記載の発明は、請求項５〜８又は９の構成に加え、壁体間連結材は、その上端を側壁体の上端より低く形成したことを特徴とする。
【００２７】
請求項１３に記載の発明は、請求項５〜１１又は１２の構成に加え、ポリマー系材料、油性材料又はアスファルト系材料等からなり、乾燥防止用水の水面上を覆う蒸発防止層を備えたことを特徴とする。
【００２８】
請求項１４に記載の発明は、請求項１〜３又は４の構成に加え、遮水材層内水分維持手段は、ポリマー系材料、油性材料又はアスファルト系材料等からなり、前記遮水材層の上端面を覆う蒸発防止層からなることを特徴とする。
【発明の効果】
【００２９】
本発明に係る遮水壁構造は、土中に設置された土留め壁内に形成された空隙に変形追随性を有する遮水材を充填することにより形成された遮水材層を備えたことによって、比較的断面の大きな遮水材充填空間が上下方向に向けて形成されることになり、遮水材の大深度への充填が確実になされて信頼性の高い遮水構造となるとともに、変形追随性を有する遮水材を使用しているために矢板の変形時にも遮水性が保持されることとなり高い遮水効果が得られる。
【００３０】
また、遮水材層内の水分を維持させるための層状をした遮水材層内水分維持手段により、前記遮水材層の上端面を閉鎖したことによって、遮水材層が所定の水分を含有した状態に維持され、高い遮水性能を維持することができる。
【００３１】
側壁体は、シート状材を一部又は全部に使用したことによって、矢板や鋼板、又はプレキャストコンクリート版を使用する場合に比べて低コストとなり、経済性が高くなる。
【００３２】
遮水材層内水分維持手段は、内部が前記遮水材層の上端面と接した貯水部を備え、該貯水部内に乾燥防止用水を備えることによって、好適に遮水材層を所定の水分を含有した状態に維持することができ、高い遮水性能を維持することができる。
【００３３】
貯水部は、両側壁体の上端部を外壁とすることによって、従来の遮水壁構造に、新たな部品を加えることなく、容易に貯水部を設けることができる。
【００３４】
遮水壁の上端を覆うコーピングに貯水部内と連通する貫通孔を備えたことによって、遮水材の補充や定期点検等に使用される管理用として機能するとともに、各貯水部に乾燥防止用水を供給することが可能となる。
【００３５】
貫通孔は、ポーラスコンクリートをもって閉鎖したことによって、遮水壁の上端部を閉鎖した状態でも、雨水等がポーラスコンクリートより浸透して貯水部に乾燥防止用水を得ることができる。
【００３６】
外洋側の側壁体に接続され、外洋から乾燥防止用水を貯水部内に逆流不能に導入する通水管を備えたことによって、ポンプ等の動力を使用しなくとも乾燥防止用水を好適に貯水部に供給することができる。
【００３７】
壁体間連結材により隔離された各貯水部に亘って通された給水管を備えたこと、壁体間連結材に該壁体間連結材により隔離された各貯水部内を連通させる連通孔を備えたこと、或いは、壁体間連結材の上端を側壁体の上端より低く形成したことによって、各貯水部の乾燥防止用水を一括して管理することができ、各部を一定の状態に保つことができる。
【００３８】
ポリマー系材料、油性材料又はアスファルト系材料等からなり、乾燥防止用水の水面上を覆う蒸発防止層を備えたことによって、乾燥防止用水の蒸発による減少を抑え、長期的に常に高い遮水性能を発揮することができる。
【００３９】
遮水材層内水分維持手段は、ポリマー系材料、油性材料又はアスファルト系材料等からなり、前記遮水材層の上端面を覆う蒸発防止層からなることによって、遮水材層内の水分の蒸発を好適に防止することができ、高い遮水性能を維持することができる。
【発明を実施するための最良の形態】
【００４０】
次に、本発明に係る遮水壁構造について説明する。尚、上述の実施例と同一の部分には、同一符号を付して説明を省略する。
【００４１】
この遮水壁３は、図１１に示す従来例と同様に、海岸等の水底面に支持されて所望空間の周囲を囲む配置に構築された遮水護岸構造物の内側（埋立空間側）に配置されたものであり、この遮水壁３と、外側（外洋側）の鋼管矢板等を使用した矢板式土留め壁２との間に中詰砂が充填され、両壁の上端間にはタイ材が張設されて遮水護岸構造物が形成される。
【００４２】
この遮水壁３は、土中に設置された遮水壁３を構成する土留め壁内に形成された空隙に変形追随性を有する遮水材を充填して形成された遮水材層１７を備えることにより構成され、高い遮水効果が得られるようになっている。
【００４３】
土留め壁は、板状のウエブ６の両縁に板状のフランジ７，７を一体化させた形状の断面Ｈ型のＨ型鋼矢板８，８…を横方向に連続させて水底地盤９地下の不透水層１０まで打ち込んで形成されている。
【００４４】
各Ｈ型鋼矢板８は、各フランジ７の縁部に断面Ｃ型の雌継手部１１と、これに嵌りあって抜け止めされるように、先端に膨出部を有する雄継手部１２とを一体に有する継手１３が一体に備えられ、互いに隣り合うＨ型鋼矢板８，８間において、継手１３，１３同士が互いに噛み合わされて横方向に連続されている。
【００４５】
また、この継手１３内には、図示していないが、膨張性止水材を付着させておき、これが打ち込み後に吸水して膨張することにより止水されている。
【００４６】
このようにしてＨ型鋼矢板８，８…を水平方向に連続させて打設することにより、両フランジ７，７によって、互いに平行配置の一対の側壁体１４，１５を構成しているとともに、ウエブ６が両側壁体１４，１５間を連結する壁体間連結材となっている。
【００４７】
即ち、隣り合うＨ型鋼矢板８，８間において各ウエブ６，６と各フランジ７，７によって囲まれる略方形状をした内部空隙１６内、即ち、両フランジ７，７による側壁体１４，１５及びウエブ６による壁体間連結材により囲まれて形成された土留め壁内の空隙１６に変形追随性を有する遮水材を充填して遮水材層１７を形成することにより、遮水壁３が構成されている。
【００４８】
尚、遮水材は、粘性土を主体とした土質系遮水材を使用し、一定の水分を含有することによって高い変形追随性を発揮するようになっている。
【００４９】
この遮水材層１７は、遮水材をＨ型鋼矢板８の下端から水底地盤９内における所定高さ位置から上端稍下の管理水位ＷＬより高い所定高さまでの間に充填するとともに、遮水材を遮水壁３の上端部に所望の空間を残す位置まで充填することにより形成されている。
【００５０】
Ｈ型鋼矢板８の下端部内には、現水底面より深く不透水層１０まで遮水材を注入する。
【００５１】
また、この遮水材層１７の上端面は、遮水材層１７内の水分を維持させるための層状をした遮水材層内水分維持手段により閉鎖されている。
【００５２】
この遮水材層内水分維持手段は、各ウエブ６，６及び各フランジ７，７により囲まれ、各ウエブ６、６及び各フランジ７，７を外壁とし、内部が遮水材層１７の上端面と接する貯水部２１を備え、該貯水部２１内に乾燥防止用水２２を備えている。
【００５３】
このように貯水部２１内に乾燥防止用水２２を備えることによって、遮水材層１７は、該遮水材層１７内の水分率を常に一定範囲内に維持し、高い変形追随性を発揮することができる状態に保たれる。
【００５４】
従って、この遮水壁３は、経時的な遮水性能の劣化を抑え、既定の遮水性能を維持し続けることができるようになっている。
【００５５】
この遮水壁３の上端部は、コンクリート製のコーピング（笠石）２３により覆われている。
【００５６】
このコンクリート製のコーピング２３には、その上面に貯水部２１と連通する管理用の孔を兼ねた貫通孔２４が形成されており、貯水部２１内の乾燥防止用水２２が不足したような場合には、この貫通孔２４より給水を行うことができるようになっている。
【００５７】
尚、この貫通孔２４は、図２に示すように、その開口部を多孔質性のポーラスコンクリート２５で閉鎖するようにしてもよい。その際、ポーラスコンクリート２５に水を浸透させることにより貫通孔２４に水を通し、貯水部２１に水を供給するようになっている。
【００５８】
上述の実施例では、土留め壁をＨ型鋼矢板８，８…を使用して構成し、その土留め壁内の空隙に遮水材を充填して遮水壁３を形成した例について説明したが、この他、Ｕ型鋼矢板、直線矢板又は鋼管矢板等他の鋼矢板及びこれらの組合せにより土留め壁を構成し、その土留め壁内に形成された空隙に遮水材を充填することにより遮水壁を構成するようにしてもよい。
【００５９】
図３は、Ｕ型鋼矢板を使用した土留め壁の内部に形成された空隙に遮水材を充填してなる遮水壁構造の実施例を示している。
【００６０】
この例では遮水壁３を構成する土留め壁の一方の側壁体１４を、立て向きのＵ型鋼矢板３０，３０…を互い違いの向きにして横方向（水平方向）に連続させて形成している。このＵ型鋼矢板３０は、両縁に雄雌継手３１，３２を有し、これを互いに嵌合させることによってジグザグ状の側壁体１４を形成している。
【００６１】
また、雄雌継手内の空隙に膨張性止水材を付着させておき、これが打ち込み後に吸水して膨脹することにより止水されるようにすることがより好ましい。
【００６２】
遮水壁３を構成する土留め壁の他方の側壁体１５は、平板状をしたプレキャストコンクリート板又は鋼板からなる土留め板３３，３３…によって構成されている。
【００６３】
一方の側壁体１４の裏面に、前記Ｕ型鋼矢板と一体に設けたＩ型鋼からなる壁体間連結材３４が一定間隔毎に突設されており、その先端の両縁に互いに背中合わせ配置の一対の板状材嵌合溝３５，３５が立て向きに設けられている。この板状材嵌合溝３５，３５に土留め板３３の両端を嵌合させて上下に多数に設置することにより土留め壁の他方の側壁体１５が形成されている。
【００６４】
このようにして構成される両側壁体１４，１５間に形成された空隙に前述と同じ変形追随性を有する遮水材を充填して遮水材層３６を形成するとともに、内部が遮水壁上端部に遮水材層３６と接する貯水部を形成し、その貯水部内に乾燥防止用水を備える。
【００６５】
図４は、鋼管矢板４０を使用した土留め壁の内部に形成された空隙に遮水材を充填してなる遮水壁構造の一例を示している。
【００６６】
土留め壁は、鋼管矢板４０，４０を水平方向に連結して形成された側壁体１４と、その隣り合う鋼管矢板４０，４０の連結部を跨いで両鋼管矢板４０，４０間に架け渡され、両鋼管矢板４０，４０の連結部を覆うシート状又は鋼板材等の板状のカバー部材４３とを備えて構成され、遮水壁は、この土留め壁内に形成された空隙、即ち側壁体１４及びカバー部材４３に囲まれた空隙に遮水材を充填して遮水材層２０を形成することによって構成されている。
【００６７】
そして、この遮水壁構造は、遮水壁の上部に、内部が遮水材層２０の上端面と接する貯水部２１を形成し、各貯水部２１内には乾燥防止用水２２を備えるようになっている。
【００６８】
この鋼管矢板４０は、周囲の互いに対称な位置に雄雌継手４１，４２が形成され、これを互いに嵌合させることによって互いに連結している。尚、雌継手４２内の空隙には遮水材を充填し、ある程度の不透水性を持たせることがより好ましい。
【００６９】
また、Ｈ型鋼等の各壁体間連結材３４の両端部間に、嵌合溝３５，３５を形成しておき、鋼製の枠体にシート状材を張設してなるシート張り板状材を嵌合させて両側壁体１４，１５を構成させてもよい。
【００７０】
このようにシート状材を使用する構造は、護岸構造物を底部から積み上げて形成する場合により有効であり、矢板や鋼板及びコンクリートプレキャスト版を使用する場合に比べて低コストとなり、経済性が高い。
【００７１】
尚、各実施例において同一部分には同一符号を付して重複説明を省略する。
【００７２】
また、上述の実施例では、各貯水部が各壁体間連結材により隔離された例について説明したが、この遮水壁構造では、図５に示すように、各壁体間連結材６（３３）によって隔離された各貯水部２１，２１に亘って通された給水管５０を備え、該給水管５０を通して各貯水部２１に乾燥防止用水２２を一括して供給するようにしてもよい。
【００７３】
この給水管５０は、遮水壁外部に設置された給水手段（図示せず）に連通され、任意又は連続して水が供給されるようになっており、その外面の所定の個所、即ち各貯水部２１，２１…に対応した位置に形成された通水孔５１より供給された水を貯水部２１に放出するようになっている。
【００７４】
また、この遮水壁構造では、図６に示すように、壁体間連結材６（３３）の上端を土留め壁の側壁体１４，１５より低く形成することにより、各貯水部２１，２１…を連通させるようにしてもよく、図７に示すように、壁体間連結材６（３３）に隣り合う貯水部同士を連通する連通孔５２を形成することにより各貯水部２１，２１を連通させるようにしてもよい。
【００７５】
このように各貯水部２１，２１…を連通させておけば、例えば、図７に示すように、外洋側の側壁体１４の外洋の水位より低い位置に通水口５３を設け、該通水口５３に外洋と連通した通水管５４を接続し、外洋より通水管５４及び通水口５３を通して乾燥防止用水２２として海水が供給されるようにすれば、一箇所からの給水で複数の貯水部２１，２１…に行き渡らせることができる。尚、通水管５４には、図示しない逆止弁が介在されており、貯水部から外洋側へ水が逆流するのを防止するようになっている。
【００７６】
尚、図８、図９に示すように、ポリマー系材料、油性材料又はアスファルト系材料等からなる蒸発防止層６０を乾燥防止用水２２の水面上を覆うように備えるようにしてもよい。このように蒸発防止層６０を設けることによって、乾燥防止用水２２の蒸発による減少を抑え、長期的に常に高い遮水性能を維持することができる。
【００７７】
この蒸発防止層６０は、貯水部２１の上端部に固定するようにしてもよく、蒸発防止層が水よりも軽い材質からなる場合には、乾燥防止用水２２上に浮かべてもよい。
【００７８】
また、上述の実施例では、遮水材層内水分維持手段が、貯水部を備えたものについて説明したが、図１０に示すように、遮水材層内水分維持手段は、ポリマー系材料、油性材料又はアスファルト系材料等からなる蒸発防止層６０のみからなるものであってもよい。尚、上述の実施例と同一の部分には同一符号を付して説明を省略する。
【００７９】
このように遮水材層６０の上端面を蒸発防止層６０によって直接覆うことにより、遮水材層１７に含有される水分の蒸発を抑え、長期的に高い遮水性能を維持することができるようになっている。
【産業上の利用可能性】
【００８０】
本発明に係る遮水壁構造は、外洋に面して構築する管理型廃棄物最終処分場に限らず、陸上に同処分場を構築する際にも適用することができるものであり、この場合には、廃棄物投入空間の内面を形成する築堤等の土留め壁として遮水壁を設置するようにしてもよく、また窪地等を処分場とするような場合に、その周囲の地盤を掘削して溝を形成し、該溝内に遮水壁を連続地中壁として構築してもよい。
【図面の簡単な説明】
【００８１】
【図１】本発明に係る遮水壁構造の一例を示す部分破断斜視図である。
【図２】同上の他の一例を示す縦断面図である。
【図３】同上の更に他の例を示す断面図である。
【図４】同上の更に他の例を示す部分破断斜視図である。
【図５】（ａ）は本発明に係る遮水壁構造の更に他の実施例を示す平面図、（ｂ）は同縦断面図である。
【図６】（ａ）は同上の更に他の実施例を示す平面図、（ｂ）は同縦断面図である。
【図７】（ａ）は同上の更に他の実施例を示す平面図、（ｂ）は同縦断面図である。
【図８】本発明に係る遮水壁構造の更に他の実施例を示す斜視図である。
【図９】同上の更に他の実施例を示す斜視図である。
【図１０】本発明に係る遮水壁構造の更に他の実施例を示す斜視図である。
【図１１】管理型廃棄物最終処分場の護岸構造物に実施した例を示す断面図である。
【図１２】図１１中の遮水壁構造の一例を示す断面図である。
【符号の説明】
【００８２】
Ａ  管理型廃棄物
ＷＬ  管理水位
１  遮水護岸
２  矢板式土留め壁
３  遮水壁
４  中詰砂
４ａ  モニタリング井戸
５  タイ材
６  ウエブ
７  フランジ
８  Ｈ型鋼矢板
９  水底地盤
１０  不透水層
１１  雌継手部
１２  雄継手部
１３  継手
１４，１５  側壁体
１６  空隙
１７  遮水材層
２０  遮水材層
２１  貯水部
２２  乾燥防止用水
２３  コーピング（笠石）
２４  貫通孔
２５  ポーラスコンクリート
３０  Ｕ型鋼矢板
３１  雄継手
３２  雌継手
３３  土留め板
３４  壁体間連結材
３５  板状材嵌合溝
３６  遮水材層
４０  鋼管矢板
４１  雄継手
４２  雌継手
４３  カバー部材
５０  給水管
５１  通水孔
５２  連通孔
５３  通水口
５４  通水管
６０  蒸発防止層
【図１】
2005193199.tif 000003
【図２】
2005193199.tif 000004
【図３】
2005193199.tif 000005
【図４】
2005193199.tif 000006
【図５】
2005193199.tif 000007
【図６】
2005193199.tif 000008
【図７】
2005193199.tif 000009
【図８】
2005193199.tif 000010
【図９】
2005193199.tif 000011
【図１０】
2005193199.tif 000012
【図１１】
2005193199.tif 000013
【図１２】
2005193199.tif 000014